Podtech/llm-jp-corpus-v4-ja_patent huggingface dataset:
【手続補正書】
【提出日】平成21年1月20日(2009.1.20)
【手続補正１】
【補正対象書類名】特許請求の範囲
【補正対象項目名】全文
【補正方法】変更
【補正の内容】
【特許請求の範囲】
【請求項１】
エレベータの扉の上方に配置される撮影装置と、上記撮影装置で撮影された画像を処理して上記扉の近傍領域に存在する物体を確認する画像処理部と、上記撮影装置と画像処理部に電力を供給する電源部を備えたことを特徴とするエレベータ用安全装置。
【請求項２】
上記カメラの撮影領域を照明する照明部を有し、上記照明部が上記電源部と電気的に接続されていることを特徴とする請求項１のエレベータ安全装置。
【請求項３】
上記照明部は、近赤外光を出射する光源であることを特徴とする請求項２のエレベータ安全装置。
【請求項４】
上記撮影装置、照明部、画像処理部、電源部が一つのハウジングに収容されていることを特徴とする請求項１〜３のいずれかのエレベータ安全装置。
【請求項５】
上記画像処理部は、撮影装置が撮影した画像を取得する画像取得部と、上記画像取得部が取得した画像を記憶する画像記憶部と、上記画像記憶部に記憶されている画像と上記画像が取得された後に上記画像取得部が取得した新たな画像の差分を取得する画像差分部と、上記画像差分部が取得した差分に基づいて上記物体の有無を判定する判定部を備えたことを特徴とする請求項１〜４のいずれかのエレベータ安全装置。
【請求項６】
上記画像処理部は、扉の移動を検知する検知部と、上記撮影装置が撮影した画像中に設定される検知領域を上記扉の移動とともに更新する検知領域更新部を備えたことを特徴とする請求項５のエレベータ安全装置。
【請求項７】
請求項１〜６のいずれかのエレベータ安全装置を備えたことを特徴とするエレベータ。
【請求項８】
エレベータのかご内を撮影する第２の撮影装置を備えており、上記画像処理部が物体の存在を確認したときに出力する信号に基づいて、上記第２の撮影装置を起動するようにしたことを特徴とする請求項７のエレベータ。
【手続補正書】
【提出日】平成21年8月3日(2009.8.3)
【手続補正１】
【補正対象書類名】特許請求の範囲
【補正対象項目名】請求項１
【補正方法】変更
【補正の内容】
【請求項１】
アルミニウム合金の中空押出形材からなり、仕切壁により仕切られた取付部とエネルギー吸収部とから構成されるエネルギー吸収部材であって、取付部は外側に開口した開断面形材からなり、エネルギー吸収部はＬ形の凹部をそなえた閉断面形材からなり、エネルギー吸収部材に衝撃荷重が負荷された場合、前記凹部を形成する壁同士が接触するよう変形して荷重の低下を防止するよう構成されたことを特徴とする自動車乗員保護用エネルギー吸収部材。
【手続補正２】
【補正対象書類名】明細書
【補正対象項目名】０００９
【補正方法】変更
【補正の内容】
【０００９】
上記の目的を達成するための請求項１による自動車乗員保護用エネルギー吸収部材は、アルミニウム合金の中空押出形材からなり、仕切壁により仕切られた取付部とエネルギー吸収部とから構成されるエネルギー吸収部材であって、取付部は外側に開口した開断面形材からなり、エネルギー吸収部はＬ形の凹部をそなえた閉断面形材からなり、エネルギー吸収部材に衝撃荷重が負荷された場合、前記凹部を形成する壁同士が接触するよう変形して荷重の低下を防止するよう構成されたことを特徴とする。
【手続補正３】
【補正対象書類名】明細書
【補正対象項目名】００１５
【補正方法】変更
【補正の内容】
【００１５】
エネルギー吸収部Ｂは、Ｌ形の凹部をそなえた閉断面形材からなり、エネルギー吸収部材に衝撃荷重が負荷された場合、図１１に示すように、凹部を形成する壁４、５（図２）同士が接触するよう変形して荷重の低下を防止するよう構成されている。
【手続補正４】
【補正対象書類名】明細書
【補正対象項目名】００１６
【補正方法】変更
【補正の内容】
【００１６】
好ましい実施形態としては、図２に示すように、エネルギー吸収部材が、仕切壁２と、仕切壁２に並設された上部壁３および下部壁７と、上部壁３に連続して形成されたＬ形の凹部と、凹部を構成する縦部壁４と横部壁５と、凹部の横部壁５と下部壁７とを連結し横部壁５と鋭角をなして斜め下方に延びる（下部壁７と９０°より大きい鈍角をなして斜め上方に延びる）荷重負荷壁６とからなり、荷重負荷壁６に衝撃荷重が負荷された場合、図１１に示すように、凹部を構成する縦部壁４と横部壁５とが接触するとともに、縦部壁４と横部壁５とが交差する凹部の角部４５と下部壁７とが接触して、荷重の低下を防止するよう構成される。
【手続補正５】
【補正対象書類名】明細書
【補正対象項目名】００２８
【補正方法】変更
【補正の内容】
【００２８】
実施例２
図１３にみられるように、初期ピーク荷重が発生したのち荷重が低下した。さらに変位が進むと、エネルギー吸収部の縦部壁４と横部壁５同士、および角部４５と下部壁７が接触することにより荷重が再上昇し、再上昇した荷重は、初期ピーク荷重より大きな値となった。その際、壁３と壁４の肉厚が実施例１よりも厚いため、荷重の上昇量は実施例１よりも大きくなっていた。表１に示すように、初期ピーク荷重／平均荷重の値は０．８６であり、さらに優れた特性を示した。壁３と壁４の肉厚は必要とされる平均荷重に応じて調整することが可能である。
【手続補正６】
【補正対象書類名】明細書
【補正対象項目名】００２９
【補正方法】変更
【補正の内容】
【００２９】
比較例１
図１２、図１３に示すように、初期ピーク荷重が発生したのち荷重が低下し続けた。表１に示すように、初期ピーク荷重／平均荷重の値は２．２７であり、特性が劣っていた。
【手続補正７】
【補正対象書類名】明細書
【補正対象項目名】００３０
【補正方法】変更
【補正の内容】
【００３０】
比較例２
図１３に示すように、初期ピーク荷重が発生したのち荷重が低下し続けた。表１に示すように、初期ピーク荷重／平均荷重の値は２．３７であり、特性が劣っていた。
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
フィルター網と、該フィルター網の周囲を支持するフィルター枠とを備えたフィルターであって、前記フィルター網の一部を空気非流通部としたことを特徴とするフィルター。
【請求項２】
前記空気非流通部は、フィルター網を構成するフィルター繊維が偏平化されてなることを特徴とする請求項１に記載のフィルター。
【請求項３】
フィルター網の周囲にフィルター枠を固定する工程と、偏平化手段によりフィルター網を構成するフィルター繊維を偏平化して、前記フィルター網の一部に空気非流通部を形成する工程とを備えることを特徴とするフィルターの製造方法。
【請求項４】
ケーシングの吸込口の内面側に沿って配されたフィルターと、該フィルターを清掃する清掃手段と、該清掃手段に対して前記フィルターをケーシング内で移動させるための移動経路とが設けられ、該移動経路は、前記吸込口の内面側に沿って形成されると共に、その前方端部からＵ字状に折り返されて形成され、前記移動経路の折り返し部分の内側に、前記フィルターを移動させる駆動手段が設けられ、該駆動手段よりも上流である吸込口側に清掃手段が設けられた空気調和機であって、前記フィルターは、フィルター網と、該フィルター網の周囲を支持するフィルター枠とを備え、前記フィルター網の前記清掃手段による清掃範囲外に空気非流通部が形成されたことを特徴とする空気調和機。
【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
印刷に用いる媒体にインクを吐出してドットを形成するノズルが、直線状に複数配列された構成の印字ヘッドを備え、当該印字ヘッドを用いて１回の走査で前記媒体に画像を印刷する印刷装置であって、
前記画像の画像情報及び前記画像の印刷位置に係る情報を含む印刷用画像データを取得する印刷用画像データ取得手段と、
前記印刷用画像データにおける前記印刷位置に係る情報を変更する印刷位置情報変更手段と、
階調数Ｍ（Ｍは、Ｍ≧２の自然数）の画像情報を含む印刷用画像データを、階調数Ｎ（Ｎは、Ｍ≧Ｎ≧２の自然数）の画像情報を含む印刷用画像データに変換するＮ値化手段と、
前記階調数Ｎの印刷用画像データに基づき、前記印字ヘッドを用いて前記媒体に画像を印刷する印刷手段と、を備え、
前記印刷位置情報変更手段は、所定の印刷タイミング毎に前記画像の少なくとも一部の印刷位置が前記印字ヘッドのノズル配列方向に変化するように、前記印刷位置に係る情報を変更することを特徴とする印刷装置。
【請求項２】
前記印刷位置情報変更手段は、所定期間毎に前記印字ヘッドを構成する全てのノズルが使用されるように、前記印刷位置の変化量を決定し、当該決定した変化量に基づき、前記印刷位置に係る情報を変更することを特徴とする請求項１記載の印刷装置。
【請求項３】
前記印刷位置情報変更手段は、前記印刷位置に係る情報として、前記階調数Ｎの印刷用画像データにおける、前記ドットの座標位置情報を変更することを特徴とする請求項１又は請求項２記載の印刷装置。
【請求項４】
前記印刷用画像データが文書画像の情報を含むときに、前記印刷位置に係る情報は、前記文書画像を構成する文字画像の座標位置情報を含み、
前記印刷位置情報変更手段は、前記印刷位置に係る情報として、レンダリング処理前の前記文書画像の情報を含む印刷用画像データにおける、前記文字画像の座標位置情報を変更することを特徴とする請求項１乃至請求項３のいずれか１項に記載の印刷装置。
【請求項５】
前記印刷用画像データが文書画像の情報を含むときに、前記印刷位置に係る情報は、前記文書画像を構成する文字画像のサイズ情報及び文字間隔情報を含み、
前記印刷位置情報変更手段は、前記文字画像のサイズ情報及び文字間隔情報に基づき、
前記印刷位置を変化させる文字画像の移動量を算出し、当該算出した移動量だけ前記文字画像の印刷位置が前記印字ヘッドのノズル配列方向に移動するように、前記文字画像の座標位置情報を変更することを特徴とする請求項４記載の印刷装置。
【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて遊技球を打ち込むための発射装置と、
前記発射装置を介して遊技球の打ち込みを指示するための操作手段と、
前記遊技領域に設けられ、遊技球が入球可能な始動口と、
少なくとも装飾図柄の変動表示を含む演出表示を行うための演出画像表示装置と、
少なくとも前記変動表示のパターンである複数の変動パターンを記憶する変動情報記憶手段と、
前記遊技盤の遊技領域に設けられ、遊技球を受け入れ困難な閉状態と当該閉状態よりも遊技球を受け入れ容易な開状態とに変化可能な特別入賞口と、
前記遊技領域に設けられ、遊技球の入球又は通過が可能な抽選契機口と、
前記始動口への遊技球の入球があったか否かの判断を行う始動判断手段、
前記始動判断手段により遊技球の入球が判断されることに基づき、特別遊技の実行に係る特別抽選を行う第１の抽選手段、
前記第１の抽選手段による前記特別抽選の抽選結果に基づき、前記変動情報記憶手段から読み出されて送出される変動パターンに基づく演出表示を前記演出画像表示装置に行い、前記第１の抽選手段による前記特別抽選に当選した際は、当該特別抽選に基づいて所定の図柄を表示する演出画像表示制御手段、
前記第１の抽選手段による前記特別抽選に当選すると、前記特別入賞口の開閉作動を行うことで前記特別遊技を実行する特別遊技実行手段、
前記特別遊技実行手段による前記特別遊技の終了後、前記第１の抽選手段による前記特別抽選の当選確率が遊技者に有利に設定される有利遊技を実行可能な有利遊技実行手段、
前記抽選契機口への遊技球の入球又は通過があったか否かの判断を行う抽選契機判断手段、
前記第１の抽選手段による前記特別抽選に当選した後、該抽選契機判断手段により遊技球の入球又は通過が判断されたときに、前記有利遊技実行手段にて前記有利遊技を実行するか否かを、前記第１の抽選手段による前記特別抽選に基づく前記所定の図柄に基づき、抽選する第２の抽選手段、を少なくとも有する遊技制御手段と
を備えている
ことを特徴とする遊技機。
【請求項２】
前記演出画像表示制御手段は、前記第１の抽選手段による前記特別抽選に基づく前記所定の図柄として、同一の特定の図柄が組み合わされてなる特定図柄又は前記特定の図柄以外の同一の図柄が組み合わされてなる非特定図柄を表示し、
前記第２の抽選手段は、前記演出画像表示制御手段にて前記特定図柄が表示される場合には、前記非特定図柄が表示される場合と比べて高い確率で前記有利遊技の実行を決定する
ことを特徴とする請求項１に記載の遊技機。
【請求項３】
前記第１の抽選手段は、前記演出画像表示制御手段による前記特定図柄の表示を、前記非特定図柄の表示と比べて低い確率で決定する
ことを特徴とする請求項２に記載の遊技機。
【手続補正書】
【提出日】平成21年9月29日(2009.9.29)
【手続補正１】
【補正対象書類名】特許請求の範囲
【補正対象項目名】請求項２
【補正方法】変更
【補正の内容】
【請求項２】
前記ロック装置は、隣接するラックの対向面のそれぞれに設けられた雄連結部材と雌連結部材とからなり、
前記雄連結部材は、取付フレームから突出された先端部に、回転制御用の傾斜カム面と該カム面に続く基部側に係止段部とを有する軸線中心に回転自在なロック用フック杆を備え、
前記雌連結部材は、前記ロック用フック杆の進入を許容する短筒状の受容スリーブと、該スリーブの先端部内面に突設されたロックピンとを備え、
隣接するラック同士の近接移動により前記ロック用フック杆の先端部が受容スリーブ内に進入されるに伴って、前記ロックピンが、前記カム面の一側方位置に当接されることにより前記フック杆に軸線中心の回転を生じさせ、続いて前記係止段部に至ることによってフック杆に付勢ばねによるロック位置への復動回転を生じさせて、前記ロックピンを係止段部に係合せしめ得るものとなされていることを特徴とする請求項１に記載の移動ラック装置。
【手続補正２】
【補正対象書類名】明細書
【補正対象項目名】００１３
【補正方法】変更
【補正の内容】
【００１３】
［２］前記ロック装置は、隣接するラックの対向面のそれぞれに設けられた雄連結部材と雌連結部材とからなり、
前記雄連結部材は、取付フレームから突出された先端部に、回転制御用の傾斜カム面と該カム面に続く基部側に係止段部とを有する軸線中心に回転自在なロック用フック杆を備え、
前記雌連結部材は、前記ロック用フック杆の進入を許容する短筒状の受容スリーブと、該スリーブの先端部内面に突設されたロックピンとを備え、
隣接するラック同士の近接移動により前記ロック用フック杆の先端部が受容スリーブ内に進入されるに伴って、前記ロックピンが、前記カム面の一側方位置に当接されることにより前記フック杆に軸線中心の回転を生じさせ、続いて前記係止段部に至ることによってフック杆に付勢ばねによるロック位置への復動回転を生じさせて、前記ロックピンを係止段部に係合せしめ得るものとなされていることを特徴とする前項［１］に記載の移動ラック装置。
【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて遊技球を打ち込むための発射装置と、
前記発射装置を介して遊技球の打ち込みを指示するための操作手段と、
前記遊技領域に設けられ、遊技球が入球可能な始動口と、
少なくとも装飾図柄の変動表示を含む演出表示を行うための演出画像表示装置と、
少なくとも前記変動表示のパターンである複数の変動パターンを記憶する変動情報記憶手段と、
前記遊技盤の遊技領域に設けられ、遊技球を受け入れ困難な閉状態と当該閉状態よりも遊技球を受け入れ容易な開状態とに変化可能な特別入賞口と、
前記遊技領域に設けられ、遊技球の入球又は通過が可能な抽選契機口と、
前記始動口への遊技球の入球があったか否かの判断を行う始動判断手段、
前記始動判断手段により遊技球の入球が判断されることに基づき、特別遊技の実行に係る特別抽選を行う第１の抽選手段、
前記第１の抽選手段による前記特別抽選の抽選結果に基づき、前記変動情報記憶手段から読み出されて送出される変動パターンに基づく演出表示を前記演出画像表示装置に行い、前記第１の抽選手段による前記特別抽選に当選した際は、前記変動パターンに基づき、所定の図柄を表示する演出画像表示制御手段、
前記第１の抽選手段による前記特別抽選に当選すると、前記特別入賞口の開閉作動を行うことで前記特別遊技を実行する特別遊技実行手段、
前記特別遊技実行手段による前記特別遊技の終了後、前記第１の抽選手段による前記特別抽選の当選確率が遊技者に有利に設定される有利遊技を実行可能な有利遊技実行手段、
前記抽選契機口への遊技球の入球又は通過があったか否かの判断を行う抽選契機判断手段、
前記第１の抽選手段による前記特別抽選に当選した後、該抽選契機判断手段により遊技球の入球又は通過が判断されることに基づき、前記有利遊技実行手段にて前記有利遊技を実行するか否かを、前記第１の抽選手段による前記特別抽選とは別に、抽選する第２の抽選手段、を少なくとも有する遊技制御手段と
を備えている
ことを特徴とする遊技機。
【請求項２】
前記抽選契機判断手段は、前記特別遊技実行手段にて前記特別遊技の実行が開始されると、前記抽選契機口への遊技球の入球又は通過を判断可能となっており、
前記第２の抽選手段は、前記有利遊技を実行するか否かの抽選を前記特別遊技の実行中に行う
ことを特徴とする請求項１に記載の遊技機。
【請求項３】
前記抽選契機口は、前記特別入賞口へ向かって流下する遊技球の流路に合わせ、前記遊技領域に向かって前記始動口よりも左側に設けられている
ことを特徴とする請求項１または請求項２に記載の遊技機。
【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて遊技球を打ち込むための発射装置と、
前記発射装置を介して遊技球の打ち込みを指示するための操作手段と、
前記遊技領域に設けられ、遊技球が入球可能な始動口と、
少なくとも装飾図柄の変動表示を含む演出表示を行うための演出画像表示装置と、
少なくとも前記変動表示のパターンである複数の変動パターンを記憶する変動情報記憶手段と、
前記遊技盤の遊技領域に設けられ、遊技球を受け入れ困難な閉状態と当該閉状態よりも遊技球を受け入れ容易な開状態とに変化可能な特別入賞口と、
前記遊技領域に設けられ、遊技球の入球又は通過が可能な抽選契機口と、
前記始動口への遊技球の入球があったか否かの判断を行う始動判断手段、
前記始動判断手段により遊技球の入球が判断されることに基づき、特別遊技の実行に係る特別抽選を行う第１の抽選手段、
前記第１の抽選手段による前記特別抽選の抽選結果に基づき、前記変動情報記憶手段から読み出されて送出される変動パターンに基づく演出表示を前記演出画像表示装置に行い、前記第１の抽選手段による前記特別抽選に当選した際は、前記変動パターンに基づき、特定の図柄を表示する演出画像表示制御手段、
前記抽選契機口への遊技球の入球又は通過があったか否かの判断を行う抽選契機判断手段、
前記第１の抽選手段による前記特別抽選に当選した後、該抽選契機判断手段により遊技球の入球又は通過が判断されることに基づき、前記特別入賞口の連続作動回数を、前記第１の抽選手段による前記特別抽選とは別に、抽選する第２の抽選手段、
前記第２の抽選手段による抽選が行われた後、前記特別入賞口を開状態としその後所定条件の成立時に閉状態とする開閉作動を、前記第２の抽選手段によって抽選される前記連続作動回数だけ実行することで、前記特別遊技を実行する特別遊技実行手段、を少なくとも有する遊技制御手段と
を備えている
ことを特徴とする遊技機。
【請求項２】
前記抽選契機口は、前記遊技領域に向かって、前記始動口よりも、右側に設けられており、
前記操作手段の操作量がほぼ最大になった場合に、前記抽選契機口への遊技球の入球又は通過が容易となる
ことを特徴とする請求項１に記載の遊技機。
【請求項３】
前記抽選契機口は、前記特別入賞口とは別に設けられている
ことを特徴とする請求項１または請求項２に記載の遊技機。
【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて遊技球を打ち込むための発射装置と、
前記発射装置を介して遊技球の打ち込みを指示するための操作手段と、
前記遊技領域に設けられ、遊技球が入賞可能な始動入賞口と、
前記遊技領域に設けられ、遊技球が通過可能な通過ゲートと、
前記通過ゲートを遊技球が通過することに基づく抽選を経て開状態とされることで前記始動入賞口への入賞を容易にする可動部と、
少なくとも装飾図柄の変動表示を含む演出表示を行うための演出画像表示装置と、
少なくとも前記変動表示のパターンである複数の変動パターンを記憶する変動情報記憶手段と、
前記遊技盤の遊技領域に設けられ、遊技球を受け入れ困難な閉状態と当該閉状態よりも遊技球を受け入れ容易な開状態とに変化可能な特別入賞口と、
前記遊技領域に設けられ、遊技球の入球又は通過が可能な抽選契機口と、
前記遊技領域の最下部に設けられ、当該遊技領域より遊技球を排出する排出口と、
前記始動入賞口への遊技球の入球があったか否かの判断を行う始動判断手段、
前記始動判断手段により遊技球の入球が判断されることに基づき、特別遊技の実行に係る特別抽選を行う第１の抽選手段、
前記第１の抽選手段による前記特別抽選の抽選結果に基づき、前記変動情報記憶手段から読み出されて送出される変動パターンに基づく演出表示を前記演出画像表示装置に行い、前記第１の抽選手段による前記特別抽選に当選した際は、前記変動パターンに基づき、所定の図柄を表示する演出画像表示制御手段、
前記第１の抽選手段による前記特別抽選に当選すると、前記特別入賞口の開閉作動を行うことで前記特別遊技を実行する特別遊技実行手段、
前記特別遊技実行手段による前記特別遊技の終了後、前記第１の抽選手段による前記特別抽選の当選確率が遊技者に有利に設定される有利遊技を実行可能な有利遊技実行手段、
前記抽選契機口への遊技球の入球又は通過があったか否かの判断を行う抽選契機判断手段、
前記第１の抽選手段による前記特別抽選に当選した後、該抽選契機判断手段により遊技球の入球又は通過が判断されることに基づき、前記有利遊技実行手段にて前記有利遊技を実行するか否かを、前記第１の抽選手段による前記特別抽選とは別に、抽選する第２の抽選手段、を少なくとも有する遊技制御手段と
を備え、
前記抽選契機口は、当該抽選契機口以外の少なくともいずれか一つの所定入賞口への特定の進入経路へ至った遊技球の挙動が、前記所定入賞口への入球と、前記抽選契機口への入球又は通過との二者択一となるように、配置されている
ことを特徴とする遊技機。
【請求項２】
前記所定入賞口は、前記大入賞口であること
を特徴とする遊技機。
ことを特徴とする請求項１に記載の遊技機。
【請求項３】
前記抽選契機口は、前記大入賞口近傍の左側に配置されている
ことを特徴とする請求項２に記載の遊技機。
【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて遊技球を打ち込むための発射装置と、
前記発射装置を介して遊技球の打ち込みを指示するための操作手段と、
前記遊技領域に設けられ、遊技球が入賞可能な始動入賞口と、
前記遊技領域に設けられ、遊技球が通過可能な通過ゲートと、
前記通過ゲートを遊技球が通過することに基づく抽選を経て開状態とされることで前記始動入賞口への入賞を容易にする可動部と、
少なくとも装飾図柄の変動表示を含む演出表示を行うための演出画像表示装置と、
少なくとも前記変動表示のパターンである複数の変動パターンを記憶する変動情報記憶手段と、
前記遊技盤の遊技領域に設けられ、遊技球を受け入れ困難な閉状態と当該閉状態よりも遊技球を受け入れ容易な開状態とに変化可能な特別入賞口と、
前記遊技領域に設けられ、遊技球の入球又は通過が可能な抽選契機口と、
前記遊技領域の最下部に設けられ、当該遊技領域より遊技球を排出する排出口と、
前記始動入賞口への遊技球の入球があったか否かの判断を行う始動判断手段、
前記始動判断手段により遊技球の入球が判断されることに基づき、特別遊技の実行に係る特別抽選を行う第１の抽選手段、
前記第１の抽選手段による前記特別抽選の抽選結果に基づき、前記変動情報記憶手段から読み出されて送出される変動パターンに基づく演出表示を前記演出画像表示装置に行い、前記第１の抽選手段による前記特別抽選に当選した際は、前記変動パターンに基づき、所定の図柄を表示する演出画像表示制御手段、
前記第１の抽選手段による前記特別抽選に当選すると、前記特別入賞口の開閉作動を行うことで前記特別遊技を実行する特別遊技実行手段、
前記特別遊技実行手段による前記特別遊技の終了後、前記第１の抽選手段による前記特別抽選の当選確率が遊技者に有利に設定される有利遊技を実行可能な有利遊技実行手段、
前記抽選契機口への遊技球の入球又は通過があったか否かの判断を行う抽選契機判断手段、
前記第１の抽選手段による前記特別抽選に当選した後、該抽選契機判断手段により遊技球の入球又は通過が判断されることに基づき、前記有利遊技実行手段にて前記有利遊技を実行するか否かを、前記第１の抽選手段による前記特別抽選とは別に、抽選する第２の抽選手段、を少なくとも有する遊技制御手段とを備え、
前記抽選契機口は、遊技球の流路が限定される領域である流路限定領域の流路に、配置されている
ことを特徴とする遊技機。
【請求項２】
前記抽選契機口は、前記演出画像表示装置の左側の遊技領域に設けられる前記流路限定領域の流路に配置されている
ことを特徴とする請求項１に記載の遊技機。
【請求項３】
前記抽選契機口は、遊技球の流路が複数の流路に限定される前記流路限定領域に配置され、当該流路限定領域の流路のうち遊技球が前記大入賞口へ向かい易い流路に配置されている
ことを特徴とする請求項１または請求項２に記載の遊技機。
【手続補正書】
【提出日】平成21年10月29日(2009.10.29)
【手続補正１】
【補正対象書類名】明細書
【補正対象項目名】００２４
【補正方法】変更
【補正の内容】
【００２４】
フォーカスユニット１６が図１に示すように照明光学系に挿入されると、フォーカス指標形成部１４は照明光路の中心に位置し、絞り開口１４ｂからの２つの光束は観察用照明部材２２からの照明光と共に、輝点として被検眼Ｅの瞳孔Ｅｐ上に投影される。このことから、２つの輝点ＬＰは前眼部像における図９に示す位置を占めることになり、この位置はフォーカスレンズ４の移動によっても、大きく変わることはない。
【手続補正書】
【提出日】平成21年10月20日(2009.10.20)
【手続補正１】
【補正対象書類名】特許請求の範囲
【補正対象項目名】全文
【補正方法】変更
【補正の内容】
【特許請求の範囲】
【請求項１】
被検体にＸ線を照射するＸ線発生器と、被検体を透過したＸ線の入射線量に応じた画像データを取得する平面検出器とを備えたＸ線撮像装置であって、
Ｘ線を遮蔽する遮蔽部材からなり、前記遮蔽部材を貫通する少なくとも2つの照射口を有する照射制限手段と、
前記照射口を通過したＸ線により前記平面検出器に形成される複数のスポット像を有するスポット像データを記憶する記憶手段と、
前記複数のスポット像に基づいて、前記被検体に照射されるＸ線の光軸に対する前記平面検出器の傾きを算出する傾き算出手段と、
前記傾きを通知する通知手段とを備えることを特徴とするＸ線撮像装置。
【請求項２】
前記傾き算出手段は、
各スポット像の大きさを比較して最小のスポット像と最大のスポット像とを選択する選択手段と、
最小のスポット像と最大のスポット像から、スポット像の形態に基づいた特徴量を抽出する特徴量抽出手段と、
抽出した特徴量を、予め設定された特徴量と平面検出器の傾きとの相関関係に当てはめて、前記傾きを求める比較手段とを有することを特徴とする請求項１に記載のＸ線撮像装置。
【請求項３】
前記傾きに基づいて、実質的に傾きのない状態の画像データを作成する適正画像データ作成手段を備えることを特徴とする請求項１または２に記載のＸ線撮像装置。
【請求項４】
前記傾きに基づいて実質的に傾きのない状態に補正したスポット像データから、前記平面検出器と光軸との交点である照射中心を算出する中心算出手段と、
前記照射中心と、前記平面検出器の中心との位置関係から、前記平面検出器の中心と、前記照射中心との相対的ズレを算出するズレ量算出手段を備えることを特徴とする請求項１〜３のいずれか一項に記載のＸ線撮像装置。
【請求項５】
前記傾きに基づいて実質的に傾きのない状態に補正したスポット像データから、前記平面検出器と光軸との交点である照射中心を算出する中心算出手段と、
Ｘ線の光軸に対する前記平面検出器の回転量を算出する回転量算出手段とを備え、
前記回転量算出手段は、前記補正したスポット像データのうち、少なくとも一つのスポット像と、前記照射中心を通る前記平面検出器のＸ軸およびＹ軸との位置関係から、前記回転量を算出することを特徴とする請求項１〜３のいずれか一項に記載のＸ線撮像装置。
【請求項６】
前記傾きに基づいて実質的に傾きのない状態に補正したスポット像データから、前記平面検出器と光軸との交点である照射中心を算出する中心算出手段と、
前記Ｘ線発生器と前記平面検出器との距離を算出する距離算出手段を備え、
前記距離算出手段は、前記平面検出器がＸ線の光軸に対して傾いていない状態のときのスポット像の大きさと、前記Ｘ線発生器と前記平面検出器との間の距離との相関関係に基づいて、前記補正したスポット像データのスポット像の大きさから前記距離を算出することを特徴とする請求項１〜３のいずれか一項に記載のＸ線撮像装置。
【手続補正２】
【補正対象書類名】明細書
【補正対象項目名】００１０
【補正方法】変更
【補正の内容】
【００１０】
本発明は、被検体にＸ線を照射するＸ線発生器と、被検体を透過したＸ線の入射線量に応じた画像データを取得する平面検出器とを備えたＸ線撮像装置である。このＸ線撮像装置は、以下の構成を備えることを特徴とする。
Ｉ．平面検出器に対してスポット状のＸ線照射を行なう照射制限手段
ＩＩ．スポット状のＸ線照射により平面検出器に形成される画像データを記憶する記憶手段
ＩＩＩ．前記画像データに基づいて、Ｘ線の光軸に対する平面検出器の傾きを算出する傾き算出手段
ＩＶ．前記傾きを通知する通知手段
【手続補正３】
【補正対象書類名】明細書
【補正対象項目名】００１７
【補正方法】変更
【補正の内容】
【００１７】
遮蔽部材には、この遮蔽部材を貫通する少なくとも２つの微小な照射口（以下、微小照射口とする）が形成される。複数枚の板状部材から遮蔽部材を構成し、これら板状部材を閉じたときに、各板状部材が重なる場合、微小照射口は、重なった板状部材を貫通するように設ける。いずれの場合でも、遮蔽部材のうち、Ｘ線照射口に対向する面と、ＦＰＤに対向する面における各微小照射口の開口端面は、面一に形成する。
【手続補正書】
【提出日】平成21年11月10日(2009.11.10)
【手続補正１】
【補正対象書類名】明細書
【補正対象項目名】００５２
【補正方法】変更
【補正の内容】
【００５２】
このとき、環状弁４２と管体３５とからなる逆止弁は閉じているので、薬液が空気送出路４３に進入することはない。したがって、疎水性フィルタ３７に薬液が触れることもない。そのため、疎水性フィルタ３７の材質と相性の悪い薬液を用いる場合であっても、疎水性フィルタ３７の劣化（例えば、親水性化など）を防止でき、疎水性フィルタ３７の下面での薬液の結晶析出を防止することができる。
【手続補正２】
【補正対象書類名】明細書
【補正対象項目名】００６４
【補正方法】変更
【補正の内容】
【００６４】
１  容器本体、２  キャップ、３  中間部材、４  中栓、６  ノズルキャップ、１１  胴部、１２  口部、１３  係合突起、２１  天板、２１ａ  リブ、２１ｂ  隔壁、２２  スカート部、２３  被係合溝、２４  ノズル、２５  薬液排出路、２７  雄ねじ部、２８  空気導入路、２９  親水性フィルタ、３１  中間部材本体、３１ａ  リブ、３１ｂ  隔壁、３２  突起、３４  薬液導入路、３５  管体、３５ａ  通気溝、３６  空気供給路、３７  疎水性フィルタ、４２  環状弁、４３  空気送出路、４４  貫通孔、４５  フランジ部、６１  封止部、６２  雌ねじ部。
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
遊技装置を具備した遊技盤と、該遊技盤を着脱自在に装着し得るとともにパチンコ島設備から供給される電力から電圧を作成する電源基板が設けられた本体枠と、該本体枠に開閉自在に軸支される扉枠と、前記本体枠及び前記遊技盤にそれぞれ取り付けられ、かつ、電解コンデンサが実装された制御基板と、を備えるパチンコ遊技機であって、
前記本体枠及び前記遊技盤は、少なくとも、
前記電源基板によって作成された電圧を供給する電圧供給ラインと、前記本体枠及び前記遊技盤にそれぞれ取り付けられた制御基板による制御信号を伝える制御信号ラインと、を接離自在に接続する接続端子が設けられたコネクタ
を備え、
前記扉枠の裏面又は前記本体枠の前面は、少なくとも、
前記扉枠が前記本体枠から開放された際に視認し得るように配置され、かつ、前記電源基板によって電圧が作成されている状態である旨の警告を伝える警告部材
を備えることを特徴とするパチンコ遊技機。
【請求項２】
前記警告部材は、前記電源基板によって作成された電圧が供給されて点灯するパイロットランプであることを特徴とする請求項１に記載のパチンコ遊技機。
【請求項３】
前記警告部材は、外部からの光を受けて光るシートであることを特徴とする請求項１に記載のパチンコ遊技機。
【請求項４】
請求項１に記載のパチンコ遊技機であって、
前記警告部材は、
記電源基板によって作成された電圧が供給されて点灯するパイロットランプと、
該パイロットランプの近傍に配置され、かつ、外部からの光を受けて光るシートと、
を備えることを特徴とするパチンコ遊技機。
【請求項５】
請求項１〜４のいずれかに記載のパチンコ遊技機であって、
スピーカと、
前記扉枠が前記本体枠から開放されているか否かを検出する扉枠開放スイッチと、
を備え、
前記遊技盤に取り付けられた制御基板は、
前記扉枠開放スイッチからの検出信号に基づいて前記扉枠が前記本体枠から開放されている際に、前記スピーカから前記扉枠が前記本体枠から開放されている旨を伝えるアナウンスのほかに、電源が入っている旨を伝えるアナウンスを流す扉開放電源注意報知制御手段
を備えることを特徴とするパチンコ遊技機。
【請求項６】
請求項１〜５のいずれかに記載のパチンコ遊技機であって、
前記本体枠の前面は、さらに、
前記パチンコ島設備から供給される電力を、前記電源基板に電気的に接続したり又は電気的に遮断したりする電源スイッチ
を備えることを特徴とするパチンコ遊技機。
【請求項７】
請求項１〜６のいずれかに記載のパチンコ遊技機であって、
前記本体枠及び前記遊技盤にそれぞれ取り付けられた制御基板、前記電源基板のうちいずれかは、少なくとも、
前記電源基板によって電圧が作成されている状態で、前記遊技盤を前記本体枠に取り付けた際に、前記電源基板から前記遊技盤に取り付けられた制御基板に向かって、突入電流が前記電圧供給ラインを介して前記電解コンデンサに流れ込むのを防止する活線故障防止回路
を備えることを特徴とするパチンコ遊技機。
【手続補正２】
【補正対象書類名】明細書
【補正対象項目名】００１５
【補正方法】変更
【補正の内容】
【００１５】
（解決手段２）
解決手段１に記載のパチンコ遊技機であって、前記警告部材は、前記電源基板によって作成された電圧が供給されて点灯するパイロットランプであることを特徴とするパチンコ遊技機。こうすれば、作業者（例えば、ホールの店員等）は、電源基板が電圧を作成していることを一目して確認することができ、作業者に、電源基板によって電圧が作成されている状態である旨の警告を伝えることができる。
【手続補正３】
【補正対象書類名】明細書
【補正対象項目名】００２０
【補正方法】変更
【補正の内容】
【００２０】
（解決手段６）
解決手段１〜５のいずれかに記載のパチンコ遊技機であって、前記本体枠の前面は、さらに、前記パチンコ島設備から供給される電力を、前記電源基板に電気的に接続したり又は電気的に遮断したりする電源スイッチを備えることを特徴とするパチンコ遊技機。こうすれば、作業者（例えば、ホールの店員等）は、電源スイッチの操作が本体枠の前面から行うことができるため、扉枠を本体枠から開放して遊技盤を本体枠に取り付ける際の作業性がよい。
【手続補正４】
【補正対象書類名】明細書
【補正対象項目名】００２４
【補正方法】変更
【補正の内容】
【００２４】
本発明の請求項１においては、突入電流による溶着を防止することができる。請求項２においては、作業者（例えば、ホールの店員等）は、電源基板が電圧を作成していることを一目して確認することができ、作業者に、電源基板によって電圧が作成されている状態である旨の警告を伝えることができる。請求項３においては、電圧を印加することなく光るため、シート用電圧を作成する必要がなくなる。請求項４においては、パイロットランプの近傍にシールを配置することで、パイロットランプの発する光や例えばホールの照明灯の光を受けてシートが光ることで、シートの存在を、作業者に注目させることができ、作業者に、電源基板によって電圧が作成されている状態である旨の警告を伝えることができる。請求項５においては、視覚のほかに、聴覚を刺激することができ、作業者（例えば、ホールの店員等）は、パチンコ遊技機の電源が入っている状態であるさらに認識しやすくなる。請求項６においては、作業者（例えば、ホールの店員等）は、電源スイッチの操作が本体枠の前面から行うことができるため、扉枠を本体枠から開放して遊技盤を本体枠に取り付ける際の作業性がよい。請求項７においては、突入電流による溶着を防止することができる。
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
遊技者にとって有利な状態に制御される特別可変入賞装置を備え、特定の条件成立に応じて、前記特別可変入賞装置が有利な状態に制御されるラウンドを所定のラウンド回数まで実行可能な特定遊技状態に制御可能な遊技機であって、
制御を行う際に発生する変動データを記憶するＲＡＭを有し、遊技の進行を制御する遊技制御手段を備え、
前記遊技制御手段は、初期設定処理を行った後、所定の処理を繰り返し実行するメインルーチンと、前記メインルーチン実行中に所定時間毎に発生するタイマ割込に応じて前記メインルーチンを中断して起動される割込ルーチンとを実行する実行手段を備え、
前記実行手段は、
前記割込ルーチンにおいて、前記ラウンド回数を決定するためのラウンド回数決定用数値を所定の範囲内で更新するラウンド回数決定用数値更新処理と、所定のタイミングで前記ラウンド回数決定用数値の更新の初期値を前記ＲＡＭに格納されているラウンド回数初期値用数値に変更するラウンド回数初期値変更処理とを含む遊技制御処理を実行するとともに、
前記メインルーチンにおいて、前記所定の処理として、前記ＲＡＭに格納されている前記ラウンド回数初期値用数値を更新するラウンド回数初期値用数値更新処理を実行し、
前記メインルーチンにおける前記ラウンド回数初期値用数値更新処理を開始する前に前記タイマ割込による割込を禁止し、前記ラウンド回数初期値用数値更新処理の完了後に前記タイマ割込による割込を許可する
ことを特徴とする遊技機。
【手続補正２】
【補正対象書類名】明細書
【補正対象項目名】０００８
【補正方法】変更
【補正の内容】
【０００８】
本発明による遊技機は、遊技者にとって有利な状態に制御される特別可変入賞装置を備え、特定の条件成立に応じて、特別可変入賞装置が有利な状態に制御されるラウンドを所定のラウンド回数まで実行可能な特定遊技状態に制御可能な遊技機であって、制御を行う際に発生する変動データを記憶するＲＡＭを有し、遊技の進行を制御する遊技制御手段を備え、遊技制御手段は、初期設定処理を行った後、所定の処理を繰り返し実行するメインルーチンと、メインルーチン実行中に所定時間毎に発生するタイマ割込に応じてメインルーチンを中断して起動される割込ルーチンとを実行する実行手段を備え、実行手段は、割込ルーチンにおいて、ラウンド回数を決定するためのラウンド回数決定用数値を所定の範囲内で更新するラウンド回数決定用数値更新処理と、所定のタイミングでラウンド回数決定用数値の更新の初期値をＲＡＭに格納されているラウンド回数初期値用数値に変更するラウンド回数初期値変更処理とを含む遊技制御処理を実行するとともに、メインルーチンにおいて、所定の処理として、ＲＡＭに格納されているラウンド回数初期値用数値を更新するラウンド回数初期値用数値更新処理を実行し、メインルーチンにおけるラウンド回数初期値用数値更新処理を開始する前にタイマ割込による割込を禁止し、ラウンド回数初期値用数値更新処理の完了後にタイマ割込による割込を許可することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
本発明の好ましい態様では、遊技機を、制御を行う際に発生する変動データを記憶するＲＡＭを有し、遊技の進行を制御する遊技制御手段を備え、遊技制御手段が、初期設定処理を行った後、所定の処理を繰り返し実行するメインルーチンと、メインルーチン実行中に所定時間毎に発生するタイマ割込に応じてメインルーチンを中断して起動される割込ルーチンとを実行する実行手段を備え、実行手段が、割込ルーチンにおいて、ラウンド回数を決定するためのラウンド回数決定用数値を所定の範囲内で更新するラウンド回数決定用数値更新処理と、所定のタイミングでラウンド回数決定用数値の更新の初期値をＲＡＭに格納されているラウンド回数初期値用数値に変更するラウンド回数初期値変更処理とを含む遊技制御処理を実行するとともに、メインルーチンにおいて、所定の処理として、ＲＡＭに格納されているラウンド回数初期値用数値を更新するラウンド回数初期値用数値更新処理を実行し、メインルーチンにおけるラウンド回数初期値用数値更新処理を開始する前にタイマ割込による割込を禁止し、ラウンド回数初期値用数値更新処理の完了後にタイマ割込による割込を許可する構成にしたので、ラウンド回数の決定に用いられるラウンド回数決定用数値の更新のタイミングを遊技機外部から特定することを困難にすることができ、不正行為を効果的に防止することができる効果がある。
【手続補正５】
【補正対象書類名】明細書
【補正対象項目名】００１１
【補正方法】削除
【補正の内容】
【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
制御用のプロセッサを有する制御手段を含む遊技機であって、
前記プロセッサを動作させるための制御用プログラムを格納するプログラム格納部と、
前記プロセッサによる制御のための複数種類のデータが配列されたデータテーブルを複数格納するデータ格納部とを含み、
前記プログラム格納部は、複数のデータテーブルのうちの所望のデータテーブルを選択し、該データテーブル内のデータを検索する検索プログラムモジュールを格納しており、
前記複数のデータテーブルは、或るデータテーブルと他のデータテーブルとで同種類のデータを有する場合に、前記或るデータテーブル内での前記同種類のデータの配列位置と前記他のデータテーブル内での前記同種類のデータの配列位置とが同じデータ配列構造となるように統一され、共通の前記検索プログラムモジュールにより前記或るデータテーブルと前記他のデータテーブルとを検索可能となるように構成されており、
それぞれの動作が類似している複数種類の動作を選択的に実行可能な動作装置をさらに含み、
前記データ格納部は、前記動作装置の動作のためのデータが配列されたデータテーブルを、前記複数種類の動作に対応して複数格納しており、
前記プロセッサは、前記複数種類の動作のうちから前記動作装置に実行させる動作を選択して該選択された動作に対応するデータテーブルを選択し、該選択されたデータテーブル内のデータに従って前記動作装置を制御することを特徴とする、遊技機。
【手続補正２】
【補正対象書類名】明細書
【補正対象項目名】００１４
【補正方法】変更
【補正の内容】
【００１４】
請求項１に記載の本発明は、制御用のプロセッサを有する制御手段を含む遊技機であって、
前記プロセッサを動作させるための制御用プログラムを格納するプログラム格納部と、
前記プロセッサによる制御のための複数種類のデータが配列されたデータテーブルを複数格納するデータ格納部とを含み、
前記プログラム格納部は、複数のデータテーブルのうちの所望のデータテーブルを選択し、該データテーブル内のデータを検索する検索プログラムモジュールを格納しており、
前記複数のデータテーブルは、或るデータテーブルと他のデータテーブルとで同種類のデータを有する場合に、前記或るデータテーブル内での前記同種類のデータの配列位置と前記他のデータテーブル内での前記同種類のデータの配列位置とが同じデータ配列構造となるように統一され、共通の前記検索プログラムモジュールにより前記或るデータテーブルと前記他のデータテーブルとを検索可能となるように構成されており、
それぞれの動作が類似している複数種類の動作を選択的に実行可能な動作装置をさらに含み、
前記データ格納部は、前記動作装置の動作のためのデータが配列されたデータテーブルを、前記複数種類の動作に対応して複数格納しており、
前記プロセッサは、前記複数種類の動作のうちから前記動作装置に実行させる動作を選択して該選択された動作に対応するデータテーブルを選択し、該選択されたデータテーブル内のデータに従って前記動作装置を制御することを特徴とする。
【手続補正３】
【補正対象書類名】明細書
【補正対象項目名】００１５
【補正方法】変更
【補正の内容】
【００１５】
［作用］
請求項１に記載の本発明によれば、プログラム格納部に、プロセッサを動作させるための制御用プログラムが格納されている。データ格納部に、前記プロセッサによる制御のための複数種類のデータが配列されたデータテーブルが複数格納されている。さらに、前記プログラム格納部には、複数のデータテーブルのうちの所望のデータテーブルを選択し、該データテーブル内のデータを検索する検索プログラムモジュールが格納されている。そして、前記複数のデータテーブルは、或るデータテーブルと他のデータテーブルとで同種類のデータを有する場合に、前記或るデータテーブル内での前記同種類のデータの配列位置と前記他のデータテーブル内での前記同種類のデータの配列位置とが同じデータ配列構造となるように統一され、共通の前記検索プログラムモジュールにより前記或るデータテーブルと前記他のデータテーブルとを検索可能となるように構成されている。それぞれの動作が類似している複数種類の動作を選択的に実行可能な動作装置をさらに含み、前記データ格納部は、前記動作装置の動作のためのデータが配列されたデータテーブルを、前記複数種類の動作に対応して複数格納しており、前記プロセッサは、前記複数種類の動作のうちから前記動作装置に実行させる動作を選択して該選択された動作に対応するデータテーブルを選択し、該選択されたデータテーブル内のデータに従って前記動作装置を制御する。
【手続補正４】
【補正対象書類名】明細書
【補正対象項目名】０１１２
【補正方法】変更
【補正の内容】
【０１１２】
請求項１に関しては、複数のデータテーブルが、共通の前記検索プログラムモジュールにより検索可能であるために、複数のデータテーブルを簡単に参照しやすくなり、プログラム格納部を節約することが可能となる。また、それぞれ動作が類似している複数種類の動作を選択的に実行可能な動作装置の動作のためのデータが配列されたデータテーブルが、前記複数種類の動作に対応して複数格納されており、その複数種類の動作のうちから前記動作装置に実行させる動作が選択されてその選択された動作に対応するデータテーブルが選択され、その選択されたデータテーブル内のデータに従って前記動作装置が制御されるために、前記動作装置を制御するためのプログラムを小さなもので構成することが可能となり、プログラム格納部を節約することができる。
【手続補正書】
【提出日】平成21年7月3日(2009.7.3)
【手続補正１】
【補正対象書類名】特許請求の範囲
【補正対象項目名】請求項１
【補正方法】変更
【補正の内容】
【請求項１】
ディジタル式のデータ全体に基づいて歯列弓（１０）の少なくとも一部のための歯科用の修復物を製造する方法であって、前記データ全体を、関連する個別データから算出し、前記歯列弓の、前記部分を含む少なくとも１つの領域の、口内でなされた３次元の光学式の個別測定を、前記個別データの基礎にし、また、前記歯列弓の少なくとも１つの領域を、３次元の情報を使用する基準要素（３６，３８）と共に測定し、前記個別データから、前記基準要素を考慮しつつ、前記データ全体を算出する方法において、
ａ）第１の個別データを確定するために、前記基準要素の存在なしに、前記歯列弓（１０）の少なくとも１つの領域の口内の３次元の光学式の第１の測定を行なう工程、
ｂ）前記領域に対して前記基準要素（３６，３８）を位置決めする工程、
ｃ）第２の個別データを確定するために、前記歯列弓の領域、またはこの歯列弓のこの領域を含む第２の領域の口内の３次元の光学式の第２の測定を行なう工程、
及び、
ｄ）前記データ全体を算出するために、前記基準要素の測定された形状と本当の形状との間の差から生じる修正データを考慮しつつ、前記基準要素を含む前記第２の個別データを含めて、前記第１の個別データをリンクさせる工程、
あるいは、
ｅ）少なくとも２つの面で延びているマークを有する、少なくとも部分的に透明なプレート状の部材を、前記基準要素として使用し、この基準要素と共に前記歯列弓の少なくとも１つの領域を測定しかつ前記データ全体を算出する工程、
のいずれかの工程を具備することを特徴とする方法。
【手続補正書】
【提出日】平成21年9月11日(2009.9.11)
【手続補正１】
【補正対象書類名】特許請求の範囲
【補正対象項目名】請求項１
【補正方法】変更
【補正の内容】
【請求項１】
内側にステアリングシャフトを回転自在に支持する円筒状のステアリングコラムと、このステアリングコラムの中間部を車体に固定の部分に対し支持する為の支持ブラケットと、このステアリングコラムをこの支持ブラケットに対し結合する為の結合杆と、この支持ブラケットを上記車体に固定の部分に対し支持する為の、それぞれ１対ずつのカプセル及び杆状部材とを備え、
上記支持ブラケットは、上記ステアリングコラムの中間部に固定の部分を左右両側から挟む１対の挟持板部と、これら両挟持板部の上端部に、このステアリングコラムの側方に突出する状態で設けられた支持板部と、この支持板部のうちでこのステアリングコラムよりも左右に突出する部分に、それぞれこの支持板部の後端縁に開口する状態で設けられた左右１対の切り欠きとを備えたものであり、
上記両カプセルは、それぞれの左右両側面に上記両切り欠きの左右両側縁部を係合させる為の係合溝を、中間部に上記杆状部材を上下方向に挿通する為の上下方向通孔を、それぞれ形成したものであり、
上記両カプセルを、それぞれの係合溝を上記両切り欠きの左右両側縁部に係合させる事により上記両支持板部に係止した状態で、上記上下方向通孔に挿通した上記杆状部材により上記両カプセルを上記車体に固定の部分に支持し、上記支持ブラケットをこれら両カプセルを介してこの車体に固定の部分に、前方に向いた衝撃荷重が加わった場合に前方への脱落を可能に支持しているステアリングコラムの支持装置に於いて、
上記両カプセルのうちで上記支持板部よりも上側に存在する部分の後端縁に接し、上記ステアリングコラムの中心軸に対し直交する第一の仮想平面と、上記結合杆の中心軸を含み、このステアリングコラムの中心軸に対し直交する第二の仮想平面とを考えた場合に、上記第一の仮想平面がこの第二の仮想平面よりも後方に存在する事を特徴とするステアリングコラムの支持装置。
【手続補正２】
【補正対象書類名】明細書
【補正対象項目名】０００９
【補正方法】変更
【補正の内容】
【０００９】
衝突事故の際には、運転者の身体からステアリングホイール、ステアリングシャフトを介して上記ステアリングコラム１に、前方に向いた大きな衝撃荷重が加わる。そして、これらステアリングシャフト及びステアリングコラム１が、この衝撃のエネルギを吸収しつつ全長を縮める傾向になる。この結果、上記支持ブラケット２が、上記ステアリングコラム１と共に前方に変位する傾向になるのに対し、上記両カプセル１４、１４は、上記ボルトと共にそのままの位置に止まる。この結果、これら両カプセル１４、１４が上記両切り欠き１３、１３から後方に抜け出し（実際には、カプセル１４、１４が後方に変位せずに切り欠き１３、１３が前方に変位し）、上記ステアリングコラム１が前方に変位する事を許容する。